(57)【要約】      （修正有）【課題】金管楽器用消音装置において、チューニング管を選択、交換し、ベルの太さ等の様々な状況に対応して音程感、吹奏感、音色を調整し最適化できる消音装置を提供する。【解決手段】上部開口部１５、中空部１６、吹き出し管１７、下部開口部１８を有する金管楽器のベルに装着される消音装置本体において、該消音器本体の上部開口部にチューニング管２を係合するための取り付け口１３を設ける。該取り付け口に長さや形状の異なるチューニング管を選択、交換、係合できるように手段を備えたる。【選択図】図４
2020177204.tif 000002
【特許請求の範囲】
【請求項１】
上部開口部、中空部、吹き出し管、下部開口部を有する金管楽器のベルに装着される消音装置本体において、該消音装置本体の前記上部開口部にチューニング管を係合するための取り付け口を設け、該取り付け口に長さや形状の異なるチューニング管を選択、交換、係合できるように手段を備えたことを特徴とする金管楽器用チューニング管つき消音装置。
【請求項２】
前記チューニング管の入口部端面内側にＲ面を備えたことを特徴とする請求項１に記載の金管楽器用チューニング管つき消音装置。
【請求項３】
前記チューニング管の内径面にラビリンス溝を備えたことを特徴とする請求項１乃至２に記載の金管楽器用チューニング管つき消音装置。
【発明の詳細な説明】
【技術分野】
【０００１】  本発明は、金管楽器の消音器に関する。
【背景技術】
【０００２】  従来、金管楽器は大きな音が出る楽器である。そこで自宅等で音を出すための消音器が開発され実用に供されている。
【先行技術文献】
【特許文献】
【０００３】
【特許文献１】特開２０１７−１９４５６２号公報
【特許文献２】特開２００８−０９６４９８号公報
【発明の概要】
【発明が解決しようとする課題】
【０００４】  これまでの消音器には次のような欠点があった。
現行の消音器はトランペット奏者がトランペット専用に開発したもので他の金管楽器に使用するといろいろな不具合があった。例えばトランペットと同じ金管楽器のフレンチホルンに使用するには寸法及び形状を変え装着可能にするわけだが消音器自体がトランペット専用に設計されているため音程感や音色などに不具合があった。【０００５】  また同じフレンチホルンでも各楽器メーカーや各モデル等によりベルの太さが違い、太さとしては主に、細ベル、中細ベル、太ベルの三種類に大別される。そのためのフレンチホルン用の消音器を用意するには少なくても三種類、音程感や音色など加味すると寸法が更に大きく、ベルから出っ張り、重量を増す消音器を用意しなければならない。【０００６】  そこで、消音器として種々の金管楽器のベルに収まるように小型化、軽量化を図りながら音程感等を一部部品の交換で調整可能とさせる消音器の開発を課題としたものである。
【課題を解決しようとするための手段】
【０００７】  上部開口部、中空部、吹き出し管、下部開口部を有する金管楽器のベルに装着される消音装置本体において、該消音装置本体の前記上部開口部にチューニング管を係合するための取り付け口を設け、該取り付け口に長さや形状の異なるチューニング管を選択、交換、係合できるように手段を備えたことにある。
【発明の効果】
【０００８】  本発明の金管楽器用チューニング管つき消音装置（以後、消音装置と称す）は内部にチューニング管が内装されおり、金管楽器に本発明の消音装置を装着し音色確認などを行うわけだがこの調音時にチューニング管の選択、交換により最適化を図るものである。すなわち使用される金管楽器に対応して音程感、吹奏感、音色を最適化でき、メロディー等を好適に演奏可能となる消音装置を提供できるもので、また複数の楽器の保有者等の場合でも楽器の台数分消音器を用意する必要はなく、それぞれに対応したチューニング管のみを用意し交換するだけで最適の音程感などを生むことができるものである。
【図面の簡単な説明】
【０００９】
【図１】  本発明に係る消音装置の斜視図である。
【図２】  消音装置の正面図である。
【図３】  消音装置の断面図である。
【図４】  消音装置本体とチューニング管の断面図である。
【図５】  消音装置を楽器に装着時の断面図である。
【図６】  チューニング管の正面図である。
【図７】  チューニング管の平面図である。
【図８】  チューニング管の下面図である。
【図９】  チューニング管の断面図である。
【図１０】  チューニング管の入口部端面内部にＲ面をつけた時の断面図である。
【図１１】  チューニング管の内径面にラビリンス溝を設けた時の断面図である。
【発明を実施するための形態】
【００１０】  以下、本発明を実施するための形態について図面を用いて説明する。図１乃至図２は本発明に係る消音装置１の円錐形の外観を示す図面であり、図１は消音装置１の斜視図であり、図２は消音装置１の正面図である。図３乃至図４は本発明に係る消音装置１の内部を詳しく示す断面図で、図３はチューニング管２を消音装置本体１１に係合した時の断面図であり、図４はチューニング管２を消音装置本体１１から取り外した時の断面図である。
図５はフレンチホルンのベル部３へ消音装置１を装着した様子を説明するための断面図である。消音装置１はベルから出っ張らず収まる大きさである。消音装置１は密閉式であり、呼気はすべて上部開口部１５から入り、下部開口部１８から出てくる。
図６乃至図８は本発明の消音装置１におけるチューニング管２の外観を示す図面であり、図６はチューニング管２の正面図であり、図７はチューニング管２の平面図であり、図８はチューニング管２の底面図である。チューニング管２は周りにつばのあり、１０〜２０ｍｍ程度の金管楽器に適宜あわせることのできる穴が貫通した円筒状である。
図９乃至図１１は本発明の消音装置１におけるチューニング管２の断面図であり、図９は標準的なチューニング管２の断面図、図１０はチューニング管２の入口部端面内部にＲ面をつけた時の断面図、図１１はチューニング管２の内径面にラビリンス溝を設けた時の断面図である。
【００１１】  次に図４を用いて説明する。
消音装置１におけるチューニング管２は長さＬ及び形状を選択、交換できることを特徴とする。消音装置１は円錐形であり、内側に中空部１６を有する容器状である。中空部１６は、消音装置１の内側の大部分を占める。上部には上部開口部１５、下部の内部には吹き出し管１７、底面には下部開口部１８を有する。上部開口部１５は呼気の入り口、下部開口部１８は呼気の出口である。吹き出し管１７は細い円筒管であり適宜な長さを要し底面の内側の中央に設け、消音装置１の底面は消音性能を高めるべく適宜な厚さを設ける。
【００１２】  楽器のベル部３（図５参照）に安全に装着するために、消音装置本体１１の側面には、緩衝材１２を中央地点付近から上部開口部１５付近まで隙間なく包み込むように接着する。
緩衝材１２は厚めの発泡ゴムを用いる。ただし、緩衝材としては、フェルト，コルクボード、発泡ウレタン等を用いてもよい。
【００１３】  消音装置本体１１の上部開口部１５に、取り付け口１３を設け、取り付け口１３にはチューニング管２がねじ装着できるようになっているが、装着方法としてはねじ接合ではなく摩擦装着など簡易に脱着可能な方法でもよい。
【００１４】  チューニング管２はねじ部２１を有し、周りにつばのある穴が貫通した円筒状である。穴の直径は金管楽器に適宜あわせた穴で１０〜２０ｍｍ程度である。
またチューニング管２の長さＬは１５ｍｍ〜４０ｍｍ程度で５ｍｍきざみとし金管楽器に適宜あわせる。またチューニング管２は音調によって必要に応じて、入口部端面内部にＲ面（図１０参照）をつけたり、内径面にラビリンス溝２２（図１１参照）を設けたりもできる。
【００１５】  チューニング管２を最後までねじ込み、消音装置本体１１に係合する。係合したチューニング管２における消音装置１の音程感、吹奏感、音色が状況に対応していない場合は、長さＬや形状の異なるチューニング管２を選択し再係合する。
本発明は、以上のような構造である。
【００１６】次に本発明の一実施例について説明する。
本発明の消音装置においてはチューニング管を選択、交換し音程感、吹奏感、音色を最適化できることである。
【００１７】  参考ではあるがはじめにベルの太さ、チューニング管の長さの違いによる音程感の評価をフレンチホルンを例にその結果を示す。フレンチホルンのベルの太さは主に、細ベル、中細ベル、太ベルの三種類ある。
チューニング管の長さに違いを持たせ、それぞれ長さを１５ｍｍ、２０ｍｍ、２５ｍｍ、３０ｍｍ、３５ｍｍ、４０ｍｍとし、それぞれの消音装置本体に長さが異なるチューニング管を係合した消音装置を数本用意した。それぞれの消音装置を上記三種類のベルの太さの違うフレンチホルンに装着し様々な音域での評価を行った。
【００１８】  表１には細ベルにおける実施例の評価を、表２には中細ベルにおける実施例の評価を、表３には太ベルにおける実施例の評価をそれぞれ示す。
表１乃至３では好適な音程感を得られた場合を「○」で示す。低音域、中音域、高音域の全音域で「○」が付いた（縦に「○」が３つ並んだ）チューニング管の長さが、それぞれのベルの太さの楽器における最適な長さである。
【００１９】
【表１】
2020177204.tif 000003
【００２０】
【表２】
2020177204.tif 000004
【００２１】
【表３】
2020177204.tif 000005
【００２２】  表１乃至４からわかるように、低音域、中音域、高音域の全音域において好適な音程感が得られるのは、表１においてはチューニング管の長さが２０ｍｍ、表２においては２５ｍｍ、表３においては１５ｍｍであった。楽器のベルの太さ、チューニング管の長さの違いにより好適な音程感の音域が変わることもわかる。今回の実施例では、それぞれ太さの異なるベルの楽器に対してそれぞれの長さのチューニング管で対応でき、低音域、中音域、高音域の全音域で好適な音程感を得ている。様々な状況に対応するには、今回のチューニング管の長さの全種類があれば充分である。
【００２３】  次に、チューニング管を選択、交換できる利点として、チューニング管の形状も選択、交換できることが挙げられる。チューニング管の形状例としては、内径を変える、入口部端面内部にＲ面をつける、内径面にラビリンス溝を設ける、などいろいろな工夫が考えられる。
【００２４】  次に挙げる実施例では、チューニング管の内径の大小、Ｒ面の有無、ラビリンス溝の有無による消音装置の性質変化の評価を示す。楽器は細ベルのフレンチホルンを使用し、全形状のチューニング管の長さは２０ｍｍのみとして試奏し評価を得た。
【００２５】  チューニング管の形状が変わっても音程感に変化がなく、チューニング管の内径の大小では吹奏感に変化があり、細くした場合は抵抗感が増し、太くした場合は抵抗感が減る。
【００２６】  チューニング管の入口部端面内部のＲ面の有無では吹奏感と音色に変化がみられ、Ｒ面をつけると、内径すべてを太くした時と同等の効果をもたらし、抵抗感が減り、同時に音色が丸くまろやかになり、音を小さくする以上の消音効果がある。Ｒ面をつけた場合は、外見からも朝顔の花のように広がる様子が見て取れ、呼気がスムーズに吸い込まれた。
【００２７】  チューニング管の内径面のラビリンス溝の有無では吹奏感に変化があり、ラビリンス溝を設けた場合は、内径を細くした時と同等の効果があり、抵抗感が増した。ラビリンス溝の凸凹で乱気流が起こるからである。抵抗感を強めたい場合は内径を小さくする代替として、ラビリンス溝を設ける方法が、音程感含め色々な場面で有効となる。
【００２８】  つまりチューニング管は本発明において心臓部とも言うべき重要な部分であり、チューニング管という小さな部品を、選択、交換することで、音程感、吹奏感、音色に対し、調整する効果があり、これまでの消音器では置き去り、固定化されてきた音程感等に対する不満も解消され、様々な状況に対応して１オクターブ跳躍時の音程のズレ、高音域での音程のぶら下がり等が無くなり、メロディー等を好適に演奏可能となる。金管楽器のベルに収まるべく小型化でき、消音器の「小型化、軽量化」と「音程感の調整」を同時に実現したことも特筆すべきことである。また複数の楽器の保有者等の場合でも楽器の台数分消音器を用意する必要はなく、それぞれに対応したチューニング管のみを用意し交換するだけで最適の音程感などを生むことができる。本発明は全金管楽器用への応用も可能である。
【符号の説明】
【００２９】１    消音装置
１１  消音装置本体
１２  緩衝材
１３  取り付け口
１４  取り付け口のねじ部
１５  上部開口部
１６  中空部
１７  吹き出し管
１８  下部開口部
２    チューニング管
２１  チューニング管のねじ部
２２  チューニング管の内側のラビリンス溝
３    楽器のベル部
【図１】
2020177204.tif 000006
【図２】
2020177204.tif 000007
【図３】
2020177204.tif 000008
【図４】
2020177204.tif 000009
【図５】
2020177204.tif 000010
【図６】
2020177204.tif 000011
【図７】
2020177204.tif 000012
【図８】
2020177204.tif 000013
【図９】
2020177204.tif 000014
【図１０】
2020177204.tif 000015
【図１１】
2020177204.tif 000016